(57)【特許請求の範囲】
【請求項１】
遊技盤に配置された光透過性を有する装飾体と、この装飾体の背面側に設けられた光源とを備え、前記光源により発せられた光が前記装飾体を透過して前方へ照射される遊技機において、
前記装飾体は、有色透明樹脂で成形された複数の彩色板が平面方向に連続する一体化されたユニット品からなり、
これら各彩色板が、隣接する彩色板に重ならずに外表面を光の出射面とする単層領域と、隣接する彩色板に重なり合って前記単層領域よりも板厚が薄い積層領域とを備え、
前記ユニット品における一側方に位置する前記彩色板が前記単層領域の片側のみに前記積層領域を有していると共に、前記一側方から平面方向に連続する前記彩色板が前記単層領域の両側に前記積層領域をそれぞれ有していることを特徴とする遊技機。
【請求項２】
請求項１の記載において、隣接する前記彩色板の前記積層領域どうしを総和した厚みが前記単層領域の厚みと異なるように設定されていることを特徴とする遊技機。
【発明の詳細な説明】
【技術分野】
【０００１】
本発明は、遊技球を用いて遊技を行うパチンコ機等の遊技機に係り、特に、遊技盤の盤面に配置されて多色照光する装飾体を備えた遊技機に関するものである。
【背景技術】
【０００２】
パチンコ機に代表される遊技機の中には、遊技盤の遊技領域に可変表示装置や始動入賞口等を設け、遊技領域に向けて打ち出された遊技球が始動入賞口に入賞したことを契機に電子抽選を行い、その抽選結果に基づいて可変表示装置が図柄の変動表示および停止表示を行うようにした機種が存在する。電子抽選の抽選結果には当たり（当選）とハズレ（非当選）があり、抽選結果が当たりの場合には、可変表示装置に所定の特別図柄の組合せが表示され、通常モードから特別遊技モードへと移行する。この特別遊技モードでは、例えばアタッカーが開放動作して露呈された大入賞口に遊技球が入るので、遊技者は多くの賞球を獲得することができる。
【０００３】
従来より、このような遊技機においては、遊技盤の遊技領域を含む可視領域に意匠性や演出効果を高める種々の工夫がなされており、その一例として、前面に遊技領域が形成された透明板の裏面側にＬＥＤ等の光で照光する装飾体を配設し、この装飾体を透明板を透過して視認可能としたものが知られている（例えば、特許文献１参照）。この装飾体は無色透明な樹脂材料に着色剤（顔料または染料）を添加した有色透明樹脂からなる成形品であり、例えば、赤色の透明樹脂で成形された装飾体に後方から光を照射すると、遊技領域内で赤色に照光する装飾体を視認することができる。
【先行技術文献】
【特許文献】
【０００４】
【特許文献１】特開２００８−３０２１１０号公報
【発明の概要】
【発明が解決しようとする課題】
【０００５】
ところで、装飾体の形状や色合い等は遊技機の機種ごとに多様化しており、例えば、遊技領域やその周辺の任意箇所に虹をイメージした装飾体を配置し、この装飾体を７色で照光させるようにした遊技機も知られている。このように多色照光する装飾体を製造する場合、従来は、装飾体を必要とされる色数に対応する複数のパーツ品で構成し、各パーツ品を異なる色の樹脂材料を用いて個別に成形した後、ネジ止めや溶着等の適宜手段を用いて一体化するようにしていた。したがって、装飾体に必要とされる照光色の数が増えると、それと同数のパーツ品を個別に成形して一体化する必要があり、例えば、虹色に照光する装飾体を製造する場合は７色（赤、橙、黄、緑、青、藍、紫）のパーツ品を個別に成形しなければならないため、各パーツ部品の成形工程や組立工程を含めた製造コストが上昇するという問題があった。
【０００６】
本発明は、このような従来技術の実情に鑑みてなされたもので、その目的は、遊技盤の盤面に配置された装飾体を簡単な構成で多色照光することができる遊技機を提供することにある。
【課題を解決するための手段】
【０００７】
上記の目的を達成するために、本発明は、遊技盤に配置された光透過性を有する装飾体と、この装飾体の背面側に設けられた光源とを備え、前記光源により発せられた光が前記装飾体を透過して前方へ照射される遊技機において、前記装飾体は、有色透明樹脂で成形された複数の彩色板が平面方向に連続する一体化されたユニット品からなり、これら各彩色板が、隣接する彩色板に重ならずに外表面を光の出射面とする単層領域と、隣接する彩色板に重なり合って前記単層領域よりも板厚が薄い積層領域とを備え、前記ユニット品における一側方に位置する前記彩色板が前記単層領域の片側のみに前記積層領域を有していると共に、前記一側方から平面方向に連続する前記彩色板が前記単層領域の両側に前記積層領域をそれぞれ有しているという構成にした。
【０００８】
このように構成された遊技機では、多色照光する装飾体が有色透明樹脂で成形された複数の彩色板を平面方向に連続して一体化したユニット品からなり、個々の彩色板が、隣接する彩色板に重ならずに外表面を光の出射面とする単層領域と、隣接する彩色板に重なり合う積層領域とを有していると共に、ユニット品における一側方に位置する彩色板が単層領域の片側のみに積層領域を有し、それに連続する彩色板が単層領域の両側に積層領域をそれぞれ有しているため、個々の彩色板の単層領域で照光する照光色に加えて、隣接する彩色板の積層領域どうしが重なり合う部分で照光する照光色を得られ、Ｎ個（Ｎは自然数）の彩色板を用いて（２Ｎ−１）色の照光色で装飾体を多色照光することができる。例えば、赤色透明樹脂で成形された第１彩色板と黄色透明樹脂で成形された第２彩色板とを平面方向に連続させた装飾体の場合（Ｎ＝２の場合）、この装飾体は、第１彩色板の単層領域で照光する赤色照光部と第２彩色板の単層領域で照光する黄色照光部との間に、両彩色板の積層領域どうしが重なり合う部分で照光する橙色照光部を有し、２枚の彩色板を用いて３色の照光色で装飾体を多色照光することができる。
【０００９】
上記の構成において、隣接する彩色板の積層領域どうしを総和した厚み単層領域の厚みは単層領域の厚みと略同等であっても良いが、隣接する彩色板の積層領域どうしを総和した厚みが単層領域の厚みと異なるように設定されていると、積層領域の重なり部分の多様な厚みに基づいて、合成色の色合いのバリエーションに変化を持たせることができる。
【発明の効果】
【００１０】
本発明の遊技機は、多色照光する装飾体を有色透明樹脂で成形された複数の彩色板を平面方向に連続して一体化したユニット品となし、個々の彩色板が、隣接する彩色板に重ならずに外表面を光の出射面とする単層領域と、隣接する彩色板に重なり合う積層領域とを有していると共に、ユニット品における一側方に位置する彩色板が単層領域の片側のみに積層領域を有し、それに連続する彩色板が単層領域の両側に積層領域をそれぞれ有している構成としたので、個々の彩色板の単層領域で照光する照光色に加えて、隣接する彩色板の積層領域どうしが重なり合う部分で照光する照光色を得られる。したがって、Ｎ個（Ｎは自然数）の彩色板を用いて（２Ｎ−１）色の照光色で装飾体を多色照光することができ、例えば、虹をイメージして７色で照光する装飾体を製造する場合、互いの色を異にする４枚（赤色、黄色、青色、紫色）の彩色板を用いて計７色（赤色、橙色、黄色、緑色、青色、藍色、紫色）で照光させることができる。
【図面の簡単な説明】
【００１１】
【図１】本発明の実施形態例に係る遊技機を正面側から見た斜視図である。
【図２】該遊技機の背面図である。
【図３】該遊技機に備えられる遊技盤ユニットの正面図である。
【図４】該遊技盤ユニットの斜視図である。
【図５】該遊技盤ユニットの構成部材であるセンター役物の斜視図である。
【図６】該遊技盤ユニットの構成部材である透明遊技盤の斜視図である。
【図７】該遊技盤ユニットの構成部材である装飾役物部材の斜視図である。
【図８】該装飾役物部材に設けられた装飾体の正面図である。
【図９】該装飾体の斜視図である。
【図１０】該装飾体の分解斜視図である。
【図１１】該装飾体を構成する彩色板の斜視図である。
【図１２】図８のＡ−Ａ線に沿う断面図である。
【発明を実施するための形態】
【００１２】
発明の実施の形態について図面を参照して説明すると、図１に示すように、本発明の実施形態例に係る遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１３】
機枠１の左下隅部には大型のスピーカ５が配設されており、このスピーカ５はガラス扉３の切り欠き内に位置して前方に露出している。機器本体２の上部内側には後述する遊技盤ユニット６が収納されており、この遊技盤ユニット６に設けられた遊技盤７の盤面（前面）は透明板４を透して目視可能となっている。また、機器本体２の右側枠部にはシリンダ錠８ａを有する施錠装置８が設置されており、図示省略されているが、この施錠装置８は機器本体２の裏面に配置された後部施錠杆と機器本体２の前面に配置された前部施錠杆とを備えている。常態では、施錠装置８の後部施錠杆によって機枠１に対して機器本体２が施錠されると共に、前部施錠杆によって機器本体２に対してガラス扉３が施錠されている。そして、シリンダ錠８ａの鍵穴に図示せぬ鍵を差し込み、この鍵を一方向（例えば時計回り）へ回動すると、後部施錠杆が下動して機器本体２が開錠されるようになっている。また、シリンダ錠８ａの鍵穴に差し込んだ鍵を他方向（反時計回り）へ回動すると、前部施錠杆が上動してガラス扉３が開錠されるようになっている。
【００１４】
ガラス扉３には遊技盤７の盤面に対向する大きな開口３ａが開設されており、この開口３ａは透明板４によって塞がれている。ガラス扉３の前面上部には比較的小型のスピーカ９が左右に１個ずつ配設されており、これらスピーカ９と前述した大型のスピーカ５とによって遊技に関する様々な効果音を発するようになっている。さらに、ガラス扉３の前面下部には、遊技盤ユニット６の裏面に配設された賞球払出装置（後述する）から払い出された遊技球を収容する上段受皿１０と、上段受皿１０から排出された遊技球を収容する下段受皿１１と、遊技者による押下操作が可能なプッシュ釦１２とが設けられており、上段受皿１０の右側方には図示せぬ発射装置の発射強度を調整するための操作ハンドル１３が配設されている。
【００１５】
図２に示すように、遊技盤ユニット６の裏面側には、遊技に関する主要な処理を行う主制御処理部１４と、主制御処理部１４からの指令を受けて前述したスピーカ５，９や後述する可変表示装置２４等の各種装置を制御する副制御処理部１５と、前述した賞球払出装置１６と、主制御処理部１４からの指令を受けて賞球払出装置１６を制御する払出制御処理部１７と、操作ハンドル１３の回動操作量に応じて前記発射装置の作動を制御する発射制御処理部１８と、賞球数や大当たり回数等の各種情報を遊技場のホールコンピュータに出力する外部端子基板１９等が設けられている。主制御処理部１４は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００１６】
図３と図４に示すように、遊技盤ユニット６は、前述した遊技盤７とその後方に配置された装飾役物部材２０とで構成されており、これら遊技盤７と装飾役物部材２０はネジ止めやスナップ結合等により一体化されている。遊技盤７はアクリル樹脂等の無色透明な合成樹脂材料を用いて成形されており、この遊技盤７の前面に形成された遊技領域２１がガラス扉３の透明板４を透して外部から目視可能となっている。遊技領域２１は遊技盤７の前面と透明板４の裏面との間にできる空間であって、遊技盤７に設けられたガイドレール２２等によって略円形状に区画形成されている。そして、遊技者が操作ハンドル１３を回転操作すると、前記発射装置から遊技領域２１の上部に向けて遊技球が打ち出された後、この遊技球が遊技領域２１内を流下するようになっている。遊技領域２１には開口部２３ａを有する枠状のセンター役物２３が配置されており、装飾役物部材２０に組み込まれた可変表示装置２４の表示画面がセンター役物２３の開口部２３ａから露出している。
【００１７】
センター役物２３には、可動片によって塞がれた大入賞口２５ａの開閉制御を行うアタッカー装置２５や、開口部２３ａの下辺前縁側に位置するステージ２６や、ワープ通路２７、大入賞排出通路２５ｂ等が設けられており、アタッカー装置２５は開口部２３ａの左側辺に配置されている。ワープ通路２７の一端部はアタッカー装置２５の下方位置で遊技領域２１に向けて開口しており、ワープ通路２７の他端部はステージ２６に向けて開口している。ステージ２６は開口部２３ａの下辺の略中央部に向かって左右方向へ湾曲するように延びており、その中央部に形成された前傾斜溝が導出口２６ａに連通している。したがって、遊技領域２１を流下する遊技球がワープ通路２７内に入ると、この遊技球はワープ通路２７を通ってステージ２６上に排出された後、ステージ２６上を転動して導出口２６ａから遊技領域２１の前方に落下する。また、ステージ２６の後ろ側には仕切り壁５０が設けられており、この仕切り壁５０によって仕切られた後領域もステージ２６と同様に左右方向へ湾曲するように延びている。この後領域の略中央部には大入賞排出口５１が設けられており（図７参照）、大入賞口２５ａに入った遊技球は大入賞排出通路２５ｂを経由して大入賞排出口５１に到達するようになる。
【００１８】
遊技盤７の遊技領域２１内には、振分装置２８と、スルーチャッカー２９と、複数の一般入賞口３０と、アウト口３１の他、図示せぬ遊技釘や風車等が設けられており、遊技盤７の右下隅部には特別図柄表示装置３２と普通図柄表示装置３３が近接状態で設けられている。振分装置２８は上端に遊技球の導入口２８ａを有しており、その内部に第１始動入賞口３４と第２始動入賞口３５が設けられている。振分装置２８の導入口２８ａはステージ２６の導出口２６ａの真下に位置しており、導出口２６ａから落下する遊技球は高確率で振分装置２８の導入口２８ａに流入する。図示省略されているが、振分装置２８の内部には二股球通路とシーソー状の振分機構が収納されており、この振分機構によって導入口２８ａから流入した遊技球は二股球通路を介して第１始動入賞口３４と第２始動入賞口３５とに交互に導かれるようになっている。第１始動入賞口３４の上部には一対の可動片３４ａが設けられており、これら可動片３４ａは動作制御に基づいて、第１始動入賞口３４の開口を拡大（入賞容易化）させる第１可動位置と、第１可動位置よりも第１始動入賞口３４の開口を縮小させる第２可動位置とに移動する。同様に、第２始動入賞口３５の上部にも一対の可動片３５ａが設けられており、これら可動片３５ａも動作制御に基づいて、第２始動入賞口３５の開口を拡大させる第１可動位置と、第１可動位置よりも第２始動入賞口３５の開口を縮小させる第２可動位置とに移動する。
【００１９】
遊技盤７の盤面に露出する上記各部材について簡単に説明すると、可変表示装置２４は第１始動入賞口３４と第２始動入賞口３５のいずれか一方に遊技球が入賞することを契機に行われる特別図柄に係る電子抽選の結果に基づいて所定の演出態様を表示するためのものであり、本実施形態例ではＬＣＤ（液晶表示装置）が用いられている。この可変表示装置２４には、所定の演出態様の一部として、特別図柄表示装置３２に変動表示される特別図柄の組合せ及び変動表示時間と同期をとって演出用図柄が変動表示されると共に停止表示されるようになっている。特別図柄表示装置３２は、第１始動入賞口３４と第２始動入賞口３５のいずれか一方に遊技球が入賞することを契機に行われる特別図柄に係る電子抽選の結果（大入賞口を開閉可能な状態にするか否か）を、組合せ停止態様で報知するよう特別図柄の表示をするためのものであり、本実施形態例では７セグメント表示器が用いられている。普通図柄表示装置３３は遊技球がスルーチャッカー２９を通過することを契機に行われる普通図柄に係る電子抽選の結果（始動入賞口を開閉可能な状態にするか否か）を、組合せ停止態様で報知するよう普通図柄の表示をするためのものであり、本実施形態例では２つのＬＥＤランプが用いられている。
【００２０】
アタッカー装置２５は、第１始動入賞口３４と第２始動入賞口３５のいずれか一方に遊技球が入賞することを契機に行われる特別図柄に係る電子抽選の結果、当たり（特図当たり）となって大当たり遊技に移行した場合に作動される装置である。具体的には、特別図柄に係る抽選結果が当たり（特別図柄表示装置３２の特別図柄が予め定められた特定の停止態様となる）の場合、可変表示装置２４の表示画面上で演出用図柄の変動表示をさせた後に、変動停止させた演出用図柄の停止表示態様を例えば「７７７」のように停止させる。そして、同期する特別図柄表示装置３２の特別図柄が予め定められた特定の停止態様となることを契機に、アタッカー装置２５の可動片が大入賞口２５ａを露呈させる１ラウンドの開放処理を複数ラウンド繰り返す大当たり状態となり、遊技領域２１を流下する遊技球が露呈した大入賞口２５ａに入ると、前述したように、この遊技球は大入賞排出通路２５ｂを経由してステージ２６の後方の大入賞排出口５１へと導かれる。アタッカー装置２５は、１回の開放動作（１ラウンド）について例えば３０秒経過するまで、あるいは遊技球が大入賞口２５ａに例えば１０個入るまで開放状態を維持し、かかる開放動作を例えば１５回繰り返した後に大当たり遊技が終了する。また、第１始動入賞口３４と第２始動入賞口３５、大入賞口２５ａ、一般入賞口３０には、遊技球が入ったことを検知するためのセンサ（図示せず）がそれぞれ設けられており、これらセンサの検出に基づいて賞球払出装置１６は所定個数の遊技球を賞球として上段受皿１０（遊技者）に払い出す。そして、振分装置２８の導入口２８ａや一般入賞口３０等に入らなかった遊技球は、遊技領域２１の最下端部に設けられたアウト口３１から遊技盤７の裏面側に排出されるようになっている。
【００２１】
図５と図６に示すように、前記遊技盤７の中央部には大きな開口７ａが設けられており、センター役物２３はこの開口７ａの前面側から挿入されて遊技盤７に固定される。これにより、センター役物２３の開口部２３ａは遊技盤７の開口７ａ内において前後に貫通した状態となる。図示省略されているが、センター役物２３にはアタッカー装置２５の可動片を駆動するソレノイドや大入賞口２５ａに入った遊技球を検出するセンサ等の電気部品が搭載されており、これら電気部品はセンター役物２３の開口部２３ａの周囲裏面側に取り付けた中継基板３６に接続されている。この中継基板３６はワイヤーハーネス３７を介して前記主制御処理部１４の制御基板（メイン基板）に接続されており、ワイヤーハーネス３７は所定範囲に亘り装飾保護部材３８によって被覆されている。
【００２２】
なお、この装飾保護部材３８は退避姿勢と突出姿勢との両位置に移動可能となっており、センター役物２３を遊技盤７の開口７ａに挿入する際は、装飾保護部材３８を退避姿勢に位置させて挿入動作の妨げにならないようにしている。そして、センター役物２３を開口７ａに挿入して遊技盤７に固定した後に、装飾保護部材３８を退避姿勢から突出姿勢に移動して遊技盤７の背面側へ位置させることにより、ワイヤーハーネス３７を遊技盤７の外縁部まで引き回すようにしている。しかる後、当該遊技盤７を装飾役物部材２０に組み込んで両者を一体化すれば、ワイヤーハーネス３７を遊技盤７の背面と装飾役物部材２０の前面との間にできる空間に配置させつつ、遊技盤７の外縁部まで引き回して装飾役物部材２０の裏側に設けられた主制御処理部１４の制御基板に接続することができる。したがって、ワイヤーハーネス３７を保護する装飾保護部材３８が透明な遊技盤７を透して遊技者側から目視されることになり、それ自身が意匠部品であるような装飾を装飾保護部材３８に施すことにより、透明な遊技盤７の後方に意匠性を損なうことなくワイヤーハーネス３７を引き回すことができる。
【００２３】
図７に示すように、装飾役物部材２０には可変表示装置２４が組み込まれると共に、この可変表示装置２４の表示画面を取り囲むように、パトランプを模した演出ランプ３９や、蝶を模した複数の可動役物装置４０や、平面かつ湾曲状に広がる虹を模した複数の装飾体４１等が配設されている。遊技盤７と装飾役物部材２０を一体化した遊技盤ユニット６において、演出ランプ３９と可動役物装置４０はセンター役物２３の開口部２３ａを通って遊技盤７の前面側に露出するが、虹を模した装飾体４１は遊技盤７に覆われて背面側に対向配置される。したがって、虹を模した装飾体４１は透明な遊技盤７を透して遊技者側から目視され、遊技盤７の遊技領域２１内に恰も虹が存在するような意匠形態を表現できる。なお、図３と図４において、これら装飾体４１や前記装飾保護部材３８は図示省略されているが、実際は透明な遊技盤７を透して装飾保護部材３８や各装飾体４１が目視されるようになっている。
【００２４】
装飾体４１は、センター役物２３の開口部２３ａの上辺から左側辺の中央部にかけて平面かつ湾曲状に広がるように配置された上側部分と、上側部分の下端から装飾役物部材２０の左側辺に向かって連続し平面かつ湾曲状に広がるように配置された下側部分とを有しているが、両者は形状が異なるだけで基本的な構成は同じである。以下、図８〜図１２を参照しながら下側の装飾体４１について詳しく説明する。
【００２５】
図８〜図１２に示すように、この装飾体４１は湾曲形状に延びる４つの彩色板４２，４３，４４，４５を平面方向に連続して一体化したユニット品からなり、全体的には虹をイメージした装飾部品である。各彩色板４２，４３，４４，４５はポリカーボネイト等の無色透明な樹脂材料に着色剤（顔料または染料）を添加した有色透明樹脂からなる成形品であり、便宜上、外側から内側に向かって順に第１乃至第４彩色板と呼ぶと、第１彩色板４２は赤色透明な樹脂成形品、第２彩色板４３は黄色透明な樹脂成形品、第３彩色板４４は青色透明な樹脂成形品、第４彩色板４５は紫色透明な樹脂成形品である。
【００２６】
装飾体４１の背面側には光拡散板４６と回路基板４７が積層状態で配置されており、この回路基板４７上には光源である複数のＬＥＤ４８が実装されている。回路基板４７は装飾役物部材２０の前面にネジ止め等により固定され、光拡散板４６は回路基板４７を覆うようにして装飾役物部材２０の前面にネジ止め等により固定され、装飾体４１は回路基板４７と光拡散板４６を覆うようにして装飾役物部材２０の前面にネジ止め等により固定される。光拡散板４６はアクリル樹脂等の透明樹脂からなる成形品であり、その外表面は光拡散機能を有するように凹凸面となっている。また、この光拡散板４６には回路基板４７上の各ＬＥＤ４８と対向する位置に光通し孔４６ａが設けられており、各ＬＥＤ４８から発せられた光は光拡散板４６に阻害されることなく前方に向かって透光する。したがって、各ＬＥＤ４８から発せられた光は、対向する光通し孔４６ａをそのまま透光すると共に、光拡散板４６で拡散された状態で装飾体４１の背面へと向かい、装飾体４１の各彩色板４２，４３，４４，４５を透過して前方へ照射される発光状態となる。
【００２７】
装飾体４１の構成部品のうち最も外側に位置する赤色の第１彩色板４２は、遊技盤７の背面に対向する湾曲形状かつライン状の単層領域４２ａと、この単層領域４２ａの長手方向の内周縁に沿って段落ち状に延びる湾曲形状かつライン状の下側積層領域４２ｂと、単層領域４２ａの長手方向の外周縁から下側積層領域４２ｂの段落ち方向に向かって突出する外周壁４２ｃとを有している。下側積層領域４２ｂの板厚は単層領域４２ａの約半分の薄肉部として形成されており、単層領域４２ａの外表面から当該薄肉部の厚み分だけ下側積層領域４２ｂが下方に位置ずれしている。単層領域４２ａの外表面のみにシリンドリカルレンズ形状の凸部を多数連続させたデザイン模様が施されているが、シボ加工やブラスト加工等の他のデザイン模様を施すようにしても良い。また、下側積層領域４２ｂの長手方向の両端部には前述の段落ち方向に向かって突出する筒状部４２ｄが設けられており、一方の筒状部４２ｄの近傍には貫通孔４２ｅが設けられている。
【００２８】
第１彩色板４２の内側に隣接する黄色の第２彩色板４３は、遊技盤７の背面に対向する湾曲形状かつライン状の単層領域４３ａと、この単層領域４３ａの長手方向の内周縁に沿って段落ち状に延びる湾曲形状かつライン状の下側積層領域４３ｂと、単層領域４３ａの長手方向の外周縁に沿って同一面状に延びる湾曲形状かつライン状の上側積層領域４３ｃとを有しており、単層領域４３ａと上側積層領域４３ｃの外表面のみに第１彩色板４２と同様のデザイン模様が施されている。下側積層領域４３ｂの板厚は単層領域４３ａの約半分の薄肉部として形成されており、単層領域４３ａの外表面から当該薄肉部の厚み分だけ下側積層領域４３ｂが下方に位置ずれしている。上側積層領域４３ｃの板厚も単層領域４３ａの約半分の薄肉部として形成されており、上側積層領域４３ｃと下側積層領域４３ｂは単層領域４３ａを挟んで互いの板厚相当分だけ上下方向に位置ずれしている。また、下側積層領域４３ｂの長手方向の両端部には前述の段落ち方向に向かって突出する筒状部４３ｄがそれぞれ設けられており、一方の筒状部４３ｄの近傍には貫通孔４３ｅが設けられている。さらに、上側積層領域４３ｃの背面における長手方向の両端部には前述の段落ち方向に向かって突出する円柱状の突起部４３ｆが設けられており、これら突起部４３ｆの近傍には取付ボス４３ｇが設けられている。
【００２９】
第２彩色板４３の内側に隣接する青色の第３彩色板４４は、遊技盤７の背面に対向する湾曲形状かつライン状の単層領域４４ａと、この単層領域４４ａの長手方向の内周縁に沿って段落ち状に延びる湾曲形状かつライン状の下側積層領域４４ｂと、単層領域４４ａの長手方向の外周縁に沿って同一面状に延びる湾曲形状かつライン状の上側積層領域４４ｃとを有しており、単層領域４４ａと上側積層領域４４ｃの外表面のみに第１彩色板４２と同様のデザイン模様が施されている。下側積層領域４４ｂの板厚は単層領域４４ａの約半分の薄肉部として形成されており、単層領域４４ａの外表面から当該薄肉部の厚み分だけ下側積層領域４４ｂが下方に位置ずれしている。上側積層領域４４ｃの板厚も単層領域４４ａの約半分の薄肉部として形成されており、上側積層領域４４ｃと下側積層領域４４ｂは単層領域４４ａを挟んで互いの板厚相当分だけ上下方向に位置ずれしている。また、下側積層領域４４ｂの長手方向の両端部には前述の段落ち方向に向かって突出する筒状部４４ｄがそれぞれ設けられており、一方の筒状部４４ｄの近傍には円筒状の取付ボス４４ｅが設けられている。さらに、上側積層領域４４ｃの背面における長手方向の両端部には前述の段落ち方向に向かって突出する円柱状の突起部４４ｆが設けられており、一方の突起部４４ｆの近傍には別の取付ボス４４ｇが設けられている。
【００３０】
第３彩色板４４の内側に隣接して最も内側に位置する紫色の第４彩色板４５は、遊技盤７の背面に対向する湾曲形状かつライン状の単層領域４５ａと、この単層領域４５ａの長手方向の内周縁から前述の段落ち方向に向かって突出する内周壁４５ｂと、単層領域４５ａの長手方向の外周縁に沿って同一面状に延びる湾曲形状かつライン状の上側積層領域４５ｃとを有しており、単層領域４５ａと上側積層領域４５ｃの外表面のみに第１彩色板４２と同様のデザイン模様が施されている。上側積層領域４５ｃの板厚は単層領域４５ａの約半分の薄肉部として形成されており、単層領域４５ａの裏面から当該薄肉部の厚み分だけ上方位置に上側積層領域４５ｃが形成されている。また、上側積層領域４５ｃの背面における長手方向の両端部には前述の段落ち方向に向かって突出する円柱状の突起部４５ｄが設けられており、一方の突起部４５ｄの近傍には取付ボス４５ｅが設けられている。
【００３１】
なお、第１乃至第３彩色板４２，４３，４４の筒状部４２ｄ，４３ｄ，４４ｄの底部と第２乃至第４彩色板４３，４４，４５の突起部４３ｆ，４４ｆ，４５ｄには、固定用ネジの軸部を挿入させるための挿入孔がそれぞれ設けられている。また、第２乃至第４彩色板４３，４４，４５の長手方向の一端部には前述の段落ち方向に向かって突出する外壁部４３ｈ，４４ｈ，４５ｆが設けられている。
【００３２】
第１乃至第４彩色板４２〜４５を一体化して装飾体４１を構成する場合は、第１彩色板４２の下側積層領域４２ｂ上に第２彩色板４３の上側積層領域４３ｃを重ね合わせて、第１彩色板４２の単層領域４３ａと第２彩色板４３の上側積層領域４３ｃの外表面とを略面一にすると共に、第１彩色板４２の筒状部４２ｄと貫通孔４２ｅ内にそれぞれ第２彩色板４３の突起部４３ｆと取付ボス４３ｇを挿入することにより、第１彩色板４２と第２彩色板４３を仮止め状態にした後、ネジ５２を第１彩色板４２の筒状部４２ｄの底部から挿入して第２彩色板４３の突起部４３ｆに締着することで第１彩色板４２と第２彩色板４３とを固定する（図１２参照）。
【００３３】
また、第２彩色板４３の下側積層領域４３ｂ上に第３彩色板４４の上側積層領域４４ｃを重ね合わせて、第２彩色板４３の単層領域４３ａと第３彩色板４４の上側積層領域４４ｃの外表面とを略面一にすると共に、第２彩色板４３の筒状部４３ｄと貫通孔４３ｅ内にそれぞれ第３彩色板４４の突起部４４ｆと取付ボス４４ｇを挿入して仮止め状態とした後、別のネジ５２を第２彩色板４３の筒状部４３ｄの底部から挿入して第３彩色板４４の突起部４４ｆに締着することにより、第２彩色板４３と第３彩色板４４とを固定する。
【００３４】
さらに、第３彩色板４４の下側積層領域４４ｂ上に第４彩色板４５の上側積層領域４５ｃを重ね合わせて、第３彩色板４４の単層領域４４ａと第４彩色板４５の上側積層領域４５ｃとの外表面を略面一にすると共に、第３彩色板４４の筒状部４４ｄ内に第４彩色板４５の突起部４５ｄを挿入して仮止め状態とした後、別のネジ５２を第３彩色板４４の筒状部４４ｄの底部から挿入して第４彩色板４５の突起部４５ｄに締着することにより、第３彩色板４４と第４彩色板４５とを固定する。
【００３５】
これにより、第１乃至第４彩色板４２〜４５が平面方向に連続的に一体化された装飾体４１となり、各彩色板４２〜４５の隣り合う外表面同士は略面一となるように係合される。このようにして組み立てられた装飾体４１は、図示せぬネジを各取付ボス４３ｇ，４４ｅ，４５ｅに挿入して装飾役物部材２０に締着することにより、装飾役物部材２０の前面の所定位置に固定される。その際、装飾体４１の外縁部から後方へ突出する外周壁４２ｃと内周壁４５ｂおよび各外壁部４３ｈ，４４ｈ，４５ｆは装飾役物部材２０の前面に形成された収納凹所内に埋設され、装飾体４１の前面側に露出する各彩色板４２〜４５の単層領域４２ａ，４３ａ，４４ａ，４５ａと上側積層領域４３ｃ，４４ｃ，４５ｃのみが透明な遊技盤７を透して遊技者側から目視可能となる。なお、下側の装飾体４１はスルーチャッカー２９の真後ろを含む部分で遊技盤７の背面側に対向配置される関係上、下側の装飾体４１には左右方向に延びる溝部４１ａが形成されており、この溝部４１ａ内にスルーチャッカー２９に組み込まれたセンサやワイヤーハーネスが収納されるようになっている。このワイヤーハーネスは溝部４１ａ内を通って遊技盤７の外縁部まで引き回された後、中継基板３６から導出された前述のワイヤーハーネス３７と同様に、装飾役物部材２０の裏側に設けられた主制御処理部１４の制御基板（メイン基板）に接続される。
【００３６】
このように構成された装飾体４１を遊技者側から目視すると、図１２図に示すように、左側から順に第１彩色板４２の単層領域４２ａによる赤色、第１彩色板４２の下側積層領域４２ｂと第２彩色板４３の上側積層領域４３ｃとの合成色による橙色、第２彩色板４３の単層領域４３ａによる黄色、第２彩色板４３の下側積層領域４３ｂと第３彩色板４４の上側積層領域４４ｃとの合成色による緑色、第３彩色板４４の単層領域４４ａによる青色、第３彩色板４４の下側積層領域４４ｂと第４彩色板４５の上側積層領域４５ｃとの合成色による藍色、第４彩色板４５の単層領域４５ａによる紫色が所定幅で連続した表示形態となる。かかる装飾体４１の表示形態はＬＥＤ４８の消灯時にも維持されるが、ＬＥＤ４８に通電して点灯動作させると、ＬＥＤ４８の光が装飾体４１の各彩色板４２，４３，４４，４５を透過して前方へ照射されるため、装飾体４１の表示形態が強調されて虹色に輝くような表示演出を実現できる。その際、隣接する彩色板の下側積層領域４２ｂ，４３ｂ，４４ｂと上側積層領域４３ｃ，４４ｃ，４５ｃどうしを総和した厚みが個々の単層領域４２ａ，４３ａ，４４ａ，４５ａの厚みと略同等に設定されているため、７色（赤色、橙色、黄色、緑色、青色、藍色、紫色）を同じような輝度で照光させることができる。
【００３７】
以上説明したように、本実施形態例に係る遊技機（パチンコ機）は、透明な遊技盤７を透して遊技者側から目視される装飾体４１が有色透明樹脂で成形された４つの彩色板４２〜４５を平面方向に連続して一体化したユニット品からなり、個々の彩色板４２〜４５が、隣接する彩色板に重ならずに外表面を光の出射面とする単層領域（４２ａ，４３ａ，４４ａ，４５ａ）と、隣接する彩色板に重なり合う積層領域（下側積層領域４２ｂ，４３ｂ，４４ｂおよび上側積層領域４３ｃ，４４ｃ，４５ｃ）とを有しているため、個々の彩色板の単層領域で照光する照光色に加えて、隣接する彩色板の積層領域どうしが重なり合う部分で照光する照光色を得られる。具体的には、色の異なる４種類（赤色、黄色、青色、紫色）の彩色板４２〜４５を用いて７色（赤色、橙色、黄色、緑色、青色、藍色、紫色）の照光色で装飾体４１を多色照光することができるため、７色の彩色板を個別に成形する場合に比べると、各彩色板の成形工程や組立工程を含めた製造コストを大幅に低減することができる。
【００３８】
また、１つの彩色板が有する単層領域（４２ａ，４３ａ，４４ａ，４５ａ）の板厚に対して積層領域（下側積層領域４２ｂ，４３ｂ，４４ｂや上側積層領域４３ｃ，４４ｃ，４５ｃ）の板厚が薄く形成され、隣接する彩色板の積層領域どうしを総和した厚みが個々の単層領域の厚みと略同等になるように設定されているため、平面方向に交互に連続する単層領域と積層領域とを同じような輝度でバランス良く照光させることができる。
【００３９】
なお、上記実施形態例では、４種類（赤色、黄色、青色、紫色）の彩色板４２〜４５を用いて装飾体４１を７色（赤色、橙色、黄色、緑色、青色、藍色、紫色）で多色照光させる場合について説明したが、彩色板の数（Ｎ）は２以上の自然数であれば４つ以外でも良く、Ｎ個の彩色板を用いて（２Ｎ−１）色の照光色で装飾体４１を多色照光させることができる。また、Ｎ個の彩色板が有する色の組合せも上記実施形態例に限定されず、例えば、赤色の彩色板と青色の彩色板とを隣接させることにより、赤色の単層領域と青色の単層領域との間に桃色の積層領域を介在させることができる。
【００４０】
また、上記実施形態例では、各彩色板４２〜４５からなる装飾体４１と光拡散板４６および回路基板４７の三者を装飾役物部材２０の前面に図示せぬネジ等を用いて個別に固定するようにしているが、下面を開口した中空箱形状の装飾体４１に光拡散板４６と回路基板４７を組み込んで三者を予めユニット化しておき、このユニット品を装飾役物部材２０の前面にネジ止め等により一括して固定することも可能である。あるいは、下面を開口した中空箱形状の装飾体４１に光拡散板４６と回路基板４７のいずれか一方を組み込んで二者を予めユニット化しておき、このユニット品を装飾役物部材２０の前面にネジ止め等により一括して固定するようにしても良い。なお、光拡散板４６は設計環境に応じて省略することも可能であり、その場合は、ＬＥＤ４８から発せられた光が装飾体４１の背面に直接照射されることになる。
【００４１】
また、上記実施形態例では、装飾体を構成する複数の彩色板が湾曲形状かつライン状の単層領域と上側積層領域および下側積層領域を有する場合について説明したが、各彩色板の形状はこれに限定されず、それ以外の直線ライン状、波形ライン状、クランクライン状等の彩色板を適宜組み合わせて装飾体を構成することも可能である。
【００４２】
また、上記実施形態例では、彩色板の積層領域（上側積層領域や下側積層領域）を単層領域よりも板厚の薄い薄肉部として形成し、隣接する彩色板の積層領域どうしを総和した厚みが単層領域の厚みと略同等になるようにしているが、隣接する彩色板の積層領域どうしの厚みを意図的に互いに異ならせることにより、積層領域の重なり部分の多様な厚みに基づいて、合成色の色合いのバリエーションに変化を持たせるようにしても良い。
【００４３】
また、上記実施形態例では、各彩色板４２〜４５を一体化した装飾体４１を装飾役物部材２０の前面に固定した組み付け状態において、透明な遊技盤７を透して装飾体４１の前面側である各彩色板４２〜４５の単層領域４２ａ，４３ａ，４４ａ，４５ａと上側積層領域４３ｃ，４４ｃ，４５ｃだけが目視可能となっているが、断面コの字状に形成した装飾体４１の外周壁を装飾役物部材２０の前面から突出させ、装飾体４１の前面と外周壁の両方を目視可能としても良い。その場合、ＬＥＤ４８から発せられた光が装飾体４１の前面以外の部位から漏れないようにするために、装飾体４１の外周壁に遮光塗料や遮光テープ等の遮光処理を施すことが好ましい。
【００４４】
また、上記実施形態例では、透明な遊技盤７に形成された遊技領域２１の後方に装飾体４１を配置した場合について説明したが、装飾体４１の配置箇所は遊技者側から目視できる可視領域であれば遊技領域２１に限定されず、例えば、遊技領域２１を包囲する外側領域やセンター役物２３等に装飾体４１を配置しても良く、木板製の不透明な遊技盤を用いることも可能である。
【００４５】
さらに、上記実施形態例では、本発明による装飾体４１をパチンコ機に適用した場合について説明したが、本発明はスロットマシン等の他の遊技機にも適用可能である。
【符号の説明】
【００４６】
１  機枠
２  機器本体
３  ガラス扉
４  透明板
６  遊技盤ユニット
７  遊技盤
７ａ  開口
２０  装飾役物部材
２１  遊技領域
２３  センター役物
２４  可変表示装置
４１  装飾体
４２  第１彩色板
４２ａ  単層領域
４２ｂ  下側積層領域
４２ｃ  外周壁
４２ｄ  筒状部
４２ｅ  貫通孔
４３  第２彩色板
４３ａ  単層領域
４３ｂ  下側積層領域
４３ｃ  上側積層領域
４３ｄ  筒状部
４３ｅ  貫通孔
４３ｆ  突起部
４３ｇ  取付ボス
４４  第３彩色板
４４ａ  単層領域
４４ｂ  下側積層領域
４４ｃ  上側積層領域
４４ｄ  筒状部
４４ｅ，４４ｇ  取付ボス
４４ｆ  突起部
４５  第４彩色板
４５ａ  単層領域
４５ｂ  内周壁
４５ｃ  上側積層領域
４５ｄ  突起部
４５ｅ  取付ボス
４６  光拡散板
４７  回路基板
４８  ＬＥＤ（光源）
【図１】
0005908286.tif 000002
【図２】
0005908286.tif 000003
【図３】
0005908286.tif 000004
【図４】
0005908286.tif 000005
【図５】
0005908286.tif 000006
【図６】
0005908286.tif 000007
【図７】
0005908286.tif 000008
【図８】
0005908286.tif 000009
【図９】
0005908286.tif 000010
【図１０】
0005908286.tif 000011
【図１１】
0005908286.tif 000012
【図１２】
0005908286.tif 000013